(57)【要約】      （修正有）【課題】画像表示形態の多様化を図った画像表示装置を提供する。【解決手段】タッチセンサ膜１６によって検出した指定位置に応じて、画像形成部１８の画像表示面１８Ａに表示させた表示画像を、マスク膜１７、タッチセンサ膜１６、半透過反射膜１５を透過させて外部に観察画像として映出させると共に、半透過反射膜１５によって反射光線として反射された外部光を表示画像に重ね合せて観察者が観察できるようにしたことにより、観察者に対して、ショーウィンドウ観察態様や、インテリア観察態様といった多様な態様の観察画像を提供できる。【選択図】図１
0003181046.tif 000002
【実用新案登録請求の範囲】
【請求項１】
画像表示面に画像を形成する画像形成部と、
上記画像形成部の上記画像表示面に形成された表示画像を観察画像として透過表示する観察画像生成部と
を具え、
上記観察画像生成部は、
外部表面側に設けた保護用ガラス板と、
高屈折率ポリマ層及び低屈折率ポリマ層を順次交互に重ね合わせた多層構造を有し、当該多層構造を可視光線が透過したとき上記高屈折率ポリマ層と上記低屈折率ポリマ層との界面において、上記可視光線の一部を反射光線として反射すると共に他部を透過光線として透過する半透過反射膜と、
上記保護用ガラス板の外部表面に観察者が指を近接接触操作したとき、静電容量の変化として当該指の近接接触位置を検出するタッチセンサ膜と、
上記画像形成部の上記画像表示面に表示された表示画像を上記保護用ガラス板に向かって透過する際に、当該表示画像の輪郭形状を特定するマスク膜と
を有し、
さらに、上記画像形成部によって、上記タッチセンサ膜が検出した上記近接接触位置に対応する上記画像表示面上の表示位置に画像を表示させることにより当該表示画像を上記マスク膜、上記タッチセンサ膜及び上記半透過反射膜を透過させて上記保護用ガラス板の外側の観察者に観察させると共に、上記保護用ガラス板の外部光のうち上記半透過反射膜によって反射された反射光線により生成される外部光画像を上記保護用ガラス板の外側の観察者に、上記表示画像に重ねて観察させる中央制御処理部を具える
ことを特徴とする画像表示装置。
【請求項２】
画像表示面に画像を形成する画像形成部と、
上記画像形成部の上記画像表示面に形成された表示画像を観察画像として透過表示する観察画像生成部と
を具え、
上記観察画像生成部は、
高屈折率ポリマ層及び低屈折率ポリマ層を順次交互に重ね合わせた多層構造を有し、当該多層構造を可視光線が透過したとき上記高屈折率ポリマ層と上記低屈折率ポリマ層との界面において、上記可視光線の一部を反射光線として反射すると共に他部を透過光線として透過する半透過反射膜と、
当該観察画像生成部の外部表面に観察者が指を近接接触操作したとき、静電容量の変化として当該指の近接接触位置を検出するタッチセンサ膜と、
上記画像形成部の上記画像表示面に表示された表示画像が当該観察画像生成部を透過する際に、当該表示画像の輪郭形状を特定するマスク膜と
を有し、かつ上記半透明反射膜、上記タッチセンサ膜及び上記マスク膜を上記画像形成部の上記画像表示面と対向させるように互いに間隔をおかずに密接配置させてなり、
さらに、上記画像形成部によって、上記タッチセンサ膜が検出した上記近接接触位置に対応する上記画像表示面上の表示位置に画像を表示させることにより当該表示画像を上記マスク膜、上記タッチセンサ膜及び上記半透過反射膜を透過させて上記観察画像生成部の外側の観察者に観察させると共に、上記観察画像生成部の外部光のうち上記半透過反射膜によって反射された反射光線により生成される外部光画像を上記観察画像生成部の外側の観察者に、上記表示画像に重ねて観察させる中央制御処理部を具える
ことを特徴とする画像表示装置。
【請求項３】
上記観察画像生成部をショーウィンドウの裏面に近接した位置に配設することにより、上記ショーウィンドウの表面から透過して上記半透過反射膜によって反射された外部光画像と共に、上記画像形成部から通過した上記映出画像を、上記ショーウィンドウの外側から観察する観察者に対してショーウィンドウ観察態様の画像として提供する
ことを特徴とする請求項１又は２に記載の画像表示装置。
【請求項４】
上記画像形成部を室内の壁面上に配設することにより、上記観察画像生成部の表面側から透過して上記半透過反射膜によって反射された外部光画像と共に、上記画像形成部から上記観察画像生成部を透過した上記映出画像を、上記観察画像生成部の外側から観察する観察者に対してインテリア観察態様の画像として提供する
ことを特徴とする請求項１又は２に記載の画像表示装置。
【考案の詳細な説明】
【技術分野】
【０００１】
本考案は画像表示装置に関し、特に観察者が観察できる画像の表示態様を多様化しようとするものである。
【背景技術】
【０００２】
従来この種の画像表示装置として、観察者が見るべき画像表示面に画像生成手段から投影された映像を表出させると共に、観察者の観察目的に適合させるような画像を画像表示面上に組み合わせるようにした画像表示装置が提案されている（特許文献１参照）。
【０００３】
この特許文献１の画像表示装置には、画像表示面に投影された映像と共に、当該映像を見る観察者の顔を鏡面顔画像として画像表示面上に映すことにより、例えば美容室において鏡面顔画像と投映画像とを見比べることができるようにしたものが示されている。
【先行技術文献】
【特許文献】
【０００４】
【特許文献１】特開２００４−３５７１０３公報
【考案の概要】
【考案が解決しようとする課題】
【０００５】
この種の画像表示装置は、画像を見る観察者に対面するように画像表示面が設けられているので、画像表示面に対する画像情報の表示の仕方を工夫すれば、画像表示面に映出された画像を、例えば当該画像表示装置の利用者が管理している店舗のウィンドウの表示態様や、利用者が居動している室内のインテリアの一部を形成するような表示態様や、利用者が手に持てる情報提供ツールを形成するような表示態様などのように、観察者が欲しい画像表示態様に多様化できると考えられる。
【０００６】
本考案は以上の点を考慮してなされたもので、観察者が欲しい画像表示態様に多様化できるようにした画像表示装置を提案しようとするものである。
【課題を解決するための手段】
【０００７】
かかる課題を解決するため本考案においては、画像表示面１８Ａ、１８Ａ１１〜１８Ａ４２に画像を形成する画像形成部１８と、画像形成部１８の画像表示面１８Ａ、１８Ａ１１〜１８Ａ４２に形成された表示画像を観察画像として透過表示する観察画像生成部１２とを具え、観察画像生成部１２は、外部表面側に設けた保護用ガラス板１４と、高屈折率ポリマ層及び低屈折率ポリマ層を順次交互に重ね合わせた多層構造を有し、当該多層構造を可視光線Ｌ１が透過したとき高屈折率ポリマ層１５Ａと低屈折率ポリマ層１５Ｂとの界面において、可視光線Ｌ１の一部を反射光線Ｌ２として反射すると共に他部を透過光線Ｌ３として透過する半透過反射膜１５と、保護用ガラス板１４の外部表面に観察者が指を近接接触操作したとき、静電容量の変化として当該指の近接接触位置を検出するタッチセンサ膜１６と、画像形成部１８の画像表示面１８Ａ、１８Ａ１１〜１８Ａ４２に表示された表示画像を保護用ガラス板１４に向かって透過する際に、当該表示画像の輪郭形状を特定するマスク膜１７とを有し、さらに、画像形成部１８によって、タッチセンサ膜１６が検出した近接接触位置に対応する画像表示面１８Ａ、１８Ａ１１〜１８Ａ４２上の表示位置に画像を表示させることにより当該表示画像をタッチセンサ膜１６及び半透過反射膜１５を透過させて保護用ガラス板１４の外側の観察者に観察させると共に、保護用ガラス板１４の外部光のうち半透過反射膜１５によって反射された反射光線Ｌ２により生成される外部光画像を保護用ガラス板１４の外側の観察者に、表示画像に重ねて観察させる中央制御処理部２１を具えるようにする。
【０００８】
また、画像表示面１８Ａ、１８Ａ１１〜１８Ａ４２に画像を形成する画像形成部１８と、画像形成部１８の画像表示面１８Ａ、１８Ａ１１〜１８Ａ４２に形成された表示画像を観察画像として透過表示する観察画像生成部１２とを具え、観察画像生成部１２は、高屈折率ポリマ層及び低屈折率ポリマ層を順次交互に重ね合わせた多層構造を有し、当該多層構造を可視光線Ｌ１が透過したとき高屈折率ポリマ層１５Ａと低屈折率ポリマ層１５Ｂとの界面において、可視光線Ｌ１の一部を反射光線Ｌ２として反射すると共に他部を透過光線Ｌ３として透過する半透過反射膜１５と、当該観察画像生成部１２の外部表面に観察者が指を近接接触操作したとき、静電容量の変化として当該指の近接接触位置を検出するタッチセンサ膜１６と、画像形成部１８の画像表示面１８Ａ、１８Ａ１１〜１８Ａ４２に表示された表示画像が当該観察画像生成部１２を透過する際に、当該表示画像の輪郭形状を特定するマスク膜１７と、を有し、かつ、半透過反射膜１５、タッチセンサ膜１６及びマスク膜１７を画像形成部１８の画像表示面１８Ａ、１８Ａ１１〜１８Ａ４２と対向させるように互いに間隔をおかずに密接配置させてなり、さらに、画像形成部１８によって、タッチセンサ膜１６が検出した近接接触位置に対応する画像表示面１８Ａ、１８Ａ１１〜１８Ａ４２上の表示位置に画像を表示させることにより当該表示画像をタッチセンサ膜１６及び半透過反射膜１５を透過させて観察画像生成部１２の外側の観察者に観察させると共に、観察画像生成部１２の外部光のうち半透過反射膜１５によって反射された反射光線Ｌ２により生成される外部光画像を観察画像生成部１２の外側の観察者に、表示画像に重ねて観察させる中央制御処理部２１を具えるようにする。
【考案の効果】
【０００９】
本考案においては、タッチセンサ膜によって検出した指定位置に応じて、画像形成部の画像表示面に表示させた表示画像を、マスク膜、タッチセンサ膜、半透過反射膜を透過させて観察画像生成部１２の外側から観察できるように映出させると共に、半透過反射膜によって反射光線として反射された外部光を表示画像に重ね合せて観察者が観察画像生成部１２の外側から観察できるようにしたことにより、観察者に対して、ショーウィンドウ観察態様や、インテリア観察態様といった多様な観察画像を提供できる。
【図面の簡単な説明】
【００１０】
【図１】本考案の画像表示装置の一実施の形態を示す略線的側面図である。
【図２】図１の半透過反射膜１５の説明に供する略線的縦断面図である。
【図３】図１のタッチセンサ膜１６による位置の指定操作の説明に供する略線図である。
【図４】第２の実施の形態を示す略線的側面図である。
【図５】第３の実施の形態を示す略線的側面図である。
【図６】図４の画像形成部の説明に供する略線図である。
【図７】第４の実施の形態を示す略線的側面図である。
【考案を実施するための形態】
【００１１】
以下図面について本考案の一実施の形態を詳述する。
【００１２】
（１）第１の実施の形態
図１は本考案を店舗のウィンドウの表示形態に適用した画像表示装置１を示すもので、店舗のショーウィンドウ１０の内側の近接した位置に設置された支持台１１上に、観察画像生成部１２が設けられている。
【００１３】
観察画像生成部１２は支持台１１上に取り付けられた断面が矩形形状の筒状の保持枠体１３を有し、保持枠体１３内に、ショーウィンドウ１０側の前方位置から後方に向って保護用ガラス板１４と、半透過反射膜１５と、タッチセンサ膜１６と、マスク膜１７と、画像形成部１８とが、間に空間を置きながら、互いに重なり合うように配設されている。
【００１４】
画像形成部１８は、例えば薄型のプラズマディスプレイパネルによって構成され、支持台１１の後方部に設けられた中央制御処理部２１から供給される画像形成信号Ｓ１によって前面の画像表示面１８Ａに動画又は静止画でなる形成画像を表示する。
【００１５】
かくして画像表示面１８Ａに表示された形成画像は、マスク膜１７、タッチセンサ膜１６、半透過反射膜１５及び保護用ガラス板１４を透過して前方に投射され、これにより保護用ガラス板１４を透過した画像をショーウィンドウ１０の外側に立った観察者が見ることができるようになされている。
【００１６】
ここで、画像表示面１８Ａから投射された画像は、保持枠体１３によって囲まれた領域を透過することにより、保持枠体の外側の外光は遮光されて、観察者の目には入らないようになされている。
【００１７】
半透過反射膜１５は、図２に示すように、高屈折率ポリマ層１５Ａと低屈折率ポリマ層１５Ｂとを順次多層に積層した構成を有し、当該積層方向に可視光線Ｌ１が入射したとき、高屈折率ポリマ層１５Ａと低屈折率ポリマ層１５Ｂとの界面において可視光線Ｌ１の一部が反射光線Ｌ２として反射され、反射されずに残った可視光線Ｌ１の一部が透過光線Ｌ３として射出する。
【００１８】
この実施の形態の場合、可視光線Ｌ１に対する透過光線Ｌ３の透過率は５５％に選定されている。
【００１９】
かくして中央制御処理部２１の画像形成信号Ｓ１によって画像形成部１８の画像表示面１８Ａに形成表示された表示画像はその５５％が半透過反射膜１５を透過し、これが保護用ガラス板１４を透過して映出することにより、ショーウィンドウ１０の外側から当該映出画像を見ることができる。
【００２０】
これに加えて、ショーウィンドウ１０の外側から入射した外部光は、保護用ガラス板１４を透過し半透過反射膜１５に入射することにより、反射光線Ｌ２となる反射光（この実施の形態の場合、反射率４５％）が保護用ガラス板１４を再度透過してショーウィンドウ１０に反射される。
【００２１】
これによりショーウィンドウ１０の外側にいる観察者は、画像形成部１８の画像表示面１８Ａに形成された表示画像の一部（透過率５５％）と、半透過反射膜１５から反射された外部光（反射率４５％）とによる外光画像が重複した表示形態で見ることができる。
【００２２】
ここで、保持枠体１３は、その他の外乱光が重複することから遮光する。
【００２３】
ここで、画像形成部１８の画像表示面１８Ａに形成されてショーウィンドウ１０の外側から見ることができる映出画像は、通常の店舗のショーウィンドウにおいて観察者が内部を覗いて見ることができる製品画像と同じような印象を与えることができる。
【００２４】
また、半透過反射膜１５から反射された外部光は、通常のショーウィンドウの表面において反射する外光と同じような画像上の効果を生起する。
【００２５】
これにより中央制御処理部２１から与えられる画像形成信号Ｓ１によって画像表示面１８Ａに形成された表示画像を、あたかも観察者が店舗のショーウィンドウを外側から覗いた場合の映像の印象で見せるようなショーウィンドウ観察態様の映出画像として観察者に提供できる。
【００２６】
この実施の形態の場合、観察画像生成部１２のタッチセンサ膜１６は、保護用ガラス板１４の前面近傍に人体の指先が近づいたとき、当該近づいた位置を静電容量方式によって検出して位置検出信号Ｓ２として中央制御処理部２１に送り込む（この動作を近接接触操作という）。
【００２７】
この実施の形態の場合、中央制御処理部２１は、当該位置検出信号Ｓ２によって指定された位置について、予め画像表示面１８Ａに表示すべき画像信号が設定されており、これにより画像表示面１８Ａにはショーウィンドウ１０の外側から指定された位置に対応する画像を画像表示面１８Ａ上に表示することができる。
【００２８】
かくしてショーウィンドウ１０の外側にいる観察者は、観察画像生成部１２を構成する保護用ガラス板１４内の位置を指先で指定するような近接接触操作をすることにより、当該指定位置に対応する画像をショーウィンドウ１０の外側から見ることができる。
【００２９】
この実施の形態の場合、タッチセンサ膜１６は、図３に示すように、横及び縦方向、すなわちＸ及びＹ方向にマトリクス状に４つの位置指定領域ＡＲ１１〜ＡＲ２２が予め設定されており、ショーウィンドウ１０の外側から観察者が位置指定領域ＡＲ１１〜ＡＲ２２のいずれか１つを指定したとき、中央制御処理部２１は当該位置指定情報を位置検出信号Ｓ２として取り込むと共に、位置指定領域ＡＲ１１〜ＡＲ２２に対応する画像（例えば商品配列の画像）を画像形成信号Ｓ１として画像形成部１８に与える。
【００３０】
このとき画像表示面１８Ａには対応する商品配列画像が映出されることにより、ショーウィンドウ１０の外から見た観察者は、各商品配列をあたかも通常のショーウィンドウを覗くようなショーウィンドウ感覚の形態で当該商品配列画像を見ることができる。
【００３１】
この実施の形態の場合、マスク膜１７は、観察者が位置指定領域ＡＲ１１〜ＡＲ２２を選択的に指定したとき、中央制御処理部２１から対応する画像輪郭形状を表すマスク駆動電圧Ｓ３を受けることにより、画像表示面１８Ａの表示画像に基づいて保護用ガラス板１４に映出させる映出画像の輪郭形状を特定し、これによりショーウィンドウ１０を見た観察者は、自分が４つの表示画面のどれを選択したかを確かめることができるようになされている。
【００３２】
この場合、マスク膜１７が特定する輪郭形状は、円形、三角形又はその他の異形形状を選択し得、これにより本来矩形である画像表示面１８Ａの表示画像を、見た印象が多様な映出画像として保護用ガラス板１４に映出させることができる。
【００３３】
これにより一段と利便性の高い画像表示装置を提供できる。
【００３４】
この実施の形態の場合、観察画像生成部１２を構成する画像形成部１８の背後には、遮蔽板２３が支持台１１上に立設されている。
【００３５】
この遮蔽板２３は、保持枠体１３従って保護用ガラス板１４より大きい表面積を持っており、これによりショーウィンドウ１０の外側から見た観察者が保持枠体１３から外側にはずれた位置に到来した外部光の画像を、保護用ガラス板１４からは見えないようになされている。
【００３６】
図１〜図３の構成によれば、半透過反射膜１５を透過して保護用ガラス板１４に映出された画像表示面１８Ａ上の表示画面を、半透過反射膜１５によって反射された外部光画像と重ねて観察者が観察できるようにしたことにより、ショーウィンドウ１０の外側から保護用ガラス板１４の画像を見た観察者に画像表示面１８上の表示画面をショーウィンドウ観察態様の画像として提供でき、その結果観察者が観察できる表示態様を一段と多様化させることができる。
【００３７】
（２）第２の実施の形態
図４は第２の実施の形態を示すもので、図１との対応部分には同一符号を付して示すように、図１において観察画像生成部１２の構成から、保護用ガラス板１４を省略すると共に、半透過反射膜１５、タッチセンサ膜１６及びマスク膜１７の間に間隔をおかずに密接させて三重層構造を形成する。
【００３８】
さらにこの三重層構造は、ショーウィンドウ１０の裏面との間に間隔をおかず密接させるように、支持台１１が構成されている。
【００３９】
以上の構成によれば、ショーウィンドウ１０の背部に設けた観察画像生成部１２を一段と薄く、コンパクトに構成できることにより、設備として使い易い画像表示装置１を実現できる。
【００４０】
（３）第３の実施の形態
図５は、第３の実施の形態を示すもので、図１との対応部分に同一符号を付して示す。
【００４１】
この場合、画像表示装置１は、保持枠体１３によって保持される保護用ガラス板１４、半透過反射膜１５、タッチセンサ膜１６及びマスク膜１７を、互いに間隔を置かずに密接重複した状態に形成されている。
【００４２】
この実施の形態の場合、画像形成部１８は、室内の壁面２５の表面において枠体１３に囲まれた領域に、図６に示すように、複数例えば１６個の個別画像表示面１８Ａ１１〜１８Ａ４４をＸ及びＹ方向にマトリクス状に配設した構成を有する。
【００４３】
これらの個別画像表示面１８Ａ１１〜１８Ａ４４は、中央制御処理部２１から与えられる画像形成信号Ｓ１によって、テレビ会議用の画像を映出し、これにより壁面２５と対面する観察者がテレビ会議に参加できるようになされている。
【００４４】
以上の構成において、壁面２５上に配設された個別画像表示面１８Ａ１１〜１８Ａ４４は、中央制御処理部２１から供給される画像形成信号Ｓ１によって、それぞれ複数の遠隔地においてテレビ会議に参加する者の部署の映像を表示し、当該表示画像がマスク膜１７、タッチセンサ膜１６、半透過反射膜１５を透過して保護用ガラス板１４上に映出される。
【００４５】
個別画像表示面１８Ａ１１〜１８Ａ４４のうち、画像を映出していないものについては保護用ガラス板１４には映像が到達しないので、当該画像が映出していない保護用ガラス板１４の部分には半透過反射膜１５からの反射光Ｌ２として、保護用ガラス板１４の外側から到来する外部光による外部光画像だけが映る。
【００４６】
個別画像表示面１８Ａ１１〜１８Ａ４４のうち、テレビ会議に参加する部署の選択は、保護用ガラス板１４の前面に立った観察者が近接接触動作により指で指定することにより、タッチセンサ膜１６から得られる位置検出信号Ｓ２によって中央制御処理部２１に対して指定する。
【００４７】
以上の構成によれば、画像形成部１８の個別画像表示面１８Ａ１１〜１８Ａ４４に画像が映出されたとき、保護用ガラス板１４を外側から透過した外部光が半透過反射膜１５によって反射されることにより、室内の壁面２５上にあたかも複数の絵を掛けたかのような印象を与えるインテリア部材として機能する。
【００４８】
これにより、大きい壁面２５上にインテリア部材を飾ったかのような雰囲気を生じさせるインテリア観察態様の画像を、画像形成部１８の個別画像表示面１８Ａ１１〜１８Ａ４４の前に立った観察者に提供することができる。
【００４９】
この雰囲気においてテレビ会議をする観察者は、半透過反射膜１５を透過した個別画像表示面１８Ａ１１〜１８Ａ４４によって映出された画像が半透過反射膜１５を透過光Ｌ３として透過することにより、壁面２５に対面する観察者によって壁面２５上に飾り付けられたインテリア部材を飾った雰囲気の中でテレビ会議の仕事をすることができる。
【００５０】
図５〜図６の構成によれば、半透過反射膜１５を透過して保護用ガラス板１４に映出された個別画像表示面１８Ａ１１〜１８Ａ４４上の表示画面を、半透過反射膜１５によって反射された室内の外部光画像と重ねて観察者が観察できるようにしたことにより、保護用ガラス板１４の外側から保護用ガラス板１４に映出された画像を見た観察者に画像表示面１８Ａ上の個別画像表示面１８Ａ１１〜１８Ａ４４を、室内の壁面上に絵を飾った雰囲気のインテリア観察態様の画像として提供でき、その結果観察者が観察できる表示態様を一段と多様化させることができる。
【００５１】
（４）第４の実施の形態
図７は第４の実施の形態を示すもので、図１との対応部分に同一符号を付して示す。
【００５２】
この場合、画像表示装置１は携帯情報機器３１の表示面に観察画像生成部１２を保持枠体１３によって設けた構成を有する。
【００５３】
携帯情報機器３１は、観察者であるユーザが機器本体３２を手に持って操作表示面部３３に映出される画像を見ることができるように構成されている。
【００５４】
かくして操作表示面部３３上に表出された表示画像は、マスク膜１７、タッチセンサ膜１６、半透過反射膜１５を透過して、保護用ガラス板１４上に映出することにより観察者は当該画像を見ることができる。
【００５５】
この実施の形態の場合、観察画像生成部１２を構成するタッチセンサ膜１６及びマスク膜１７は、機器本体３２内に設けられている中央制御処理部によって制御される。
【００５６】
以上の構成において、携帯情報機器３１を手に持った観察者は、観察画像生成部１２の保護用ガラス板１４を指の近接接触動作で操作表示面部３３の位置を指定することにより、位置検出信号を機器本体３２に取り込ませると共に、当該指定位置に対応する画像を操作表示面部３３に表示させる。
【００５７】
かくして操作表示面部３３に表示された画像は、半透過反射膜１５を透過光線Ｌ３（図２）による映出画像として観察者が見ることができることに加えて、操作表示面部３３上の画像が映出されていない部分には外部光の反射光線Ｌ２による外部光画像が映ることになる。
【００５８】
これにより観察者は携帯情報機器３１本来の映像を、半透過反射膜１５、タッチセンサ膜１６及びマスク膜１７によって変更が加えられた奥行が感じられるような観察画像を見ることができることにより、携帯機器観察態様の画像として観察者の感覚に適合するように一段と多様化させた観察画像を提供することができる。
【００５９】
（５）他の実施の形態
（５−１）図１のショーウィンドウ観察態様の画像表示装置１において、観察者が指定できる位置指定領域ＡＲ１１〜ＡＲ２２として、図３に示すように、タッチセンサ膜１６の表示面をマトリクス状に４つに分割したものを用いた場合について述べたが、位置指定領域の決め方はこれに限らず、例えば複数の位置指定領域を不規則に配列させたり、タッチセンサ膜１６の表示画面の一部に片寄った１つの位置指定領域をタッチセンサ膜１６の所定位置に設定したりする等種々変更することができる。
【００６０】
この位置指定領域が１つの場合は、画像表示面１８Ａの対応する位置の画像保護用ガラス板１４の外側から透過光Ｌ３として観察できるのに対して、指定されない領域については反射光線Ｌ２として外部光による画像を見ることができることになる。
【００６１】
従って、観察者は、指定された位置指定領域以外の比較的広い表示画面部分に外部光画面を見ることができることにより、ショーウィンドウを覗く印象がさらに強いショーウィンドウ観察態様を得ることができる。
【００６２】
（５−２）上述の実施の形態においては、画像形成部１８の表示画面をプラズマディスプレイパネルを用いた場合について述べたが、これに代え、有機ＥＬディスプレイパネルや、液晶ディスプレイパネル等他の形式のディスプレイパネルを用いるようにしても良い。
【００６３】
（５−３）上述の実施の形態においては、観察画像生成部１２として半透過反射膜１５、タッチセンサ膜１６及びマスク膜１７をその順序で前方から後方に向かって重ね合わせるように構成したが、当該各膜の配列順序は入れ替えるようにしても良い。
【００６４】
（５−４）図４及び図５の第２及び第３の実施の形態の場合は、半透過反射膜１５、タッチセンサ膜１６及びマスク膜１７の三重層構造と、画像形成部１８との間に間隔をおくように構成した場合について述べたが、これに代え、当該間隔をなくして密接させるようにしても良い。
【００６５】
このようにすれば、さらに厚さが薄くコンパクトな画像表示装置１を実現できる。
【００６６】
このように観察画像生成部１２において、画像形成部１８の画像表示面１８Ａとの間に間隔をおかない場合には、外乱光が混入するおそれが小さいので、保持枠体１３を省略してさらに構成をコンパクトになるようにしても良い。
【００６７】
図７の場合も同様に、外乱光が混入するおそれが小さいので、保持枠体１３を省略するようにしても良い。
【産業上の利用可能性】
【００６８】
本考案は画像表示を多様化したい場合に利用できる。
【符号の説明】
【００６９】
１……画像表示装置、１０……ショーウィンドウ、１２……観察画像生成部、１３……保持枠体、１４……保護用ガラス板、１５……半透過反射膜、１６……タッチセンサ膜、１７……マスク膜、１５Ａ……高屈折率ポリマ層、１５Ｂ……低屈折率ポリマ層、１８……画像形成部、１８Ａ１１〜１８Ａ４４……個別画像表示面、２１……中央制御処理部、２５……壁面、３１……携帯情報機器、３２……機器本体、３３……操作表示面部。
【図１】
0003181046.tif 000003
【図２】
0003181046.tif 000004
【図３】
0003181046.tif 000005
【図４】
0003181046.tif 000006
【図５】
0003181046.tif 000007
【図６】
0003181046.tif 000008
【図７】
0003181046.tif 000009